【手続補正書】
【提出日】平成27年11月19日(2015.11.19)
【手続補正１】
【補正対象書類名】特許請求の範囲
【補正対象項目名】全文
【補正方法】変更
【補正の内容】
【特許請求の範囲】
【請求項１】
画像形成装置であって、
トナー切れを検出する検出手段と、
トナー交換用のカバーの開閉状態を検知する検知手段と、
前記検出手段がトナー切れを検出したことに従って、前記トナー交換用のカバーを開く手順を示す第１の動画と、トナーを交換する手順を示す１又は複数の第２の動画と、前記トナー交換用のカバーを閉じる手順を示す第３の動画と、を順番に再生するよう制御する制御手段と、を有し、
前記制御手段は、前記検知手段が前記トナー交換用のカバーが閉じられたことを検知しないまま前記第３の動画の再生が終了した場合、ユーザによる動画の再生指示を受信すると、前記第１の動画から再生を開始せずに、前記第２の動画から、又は前記第３の動画から動画の再生を開始するよう制御することを特徴とする画像形成装置。
【請求項２】
前記制御手段は、前記検知手段が前記トナー交換用のカバーが開かれたことを検知するまで前記第２の動画の再生を行わないことを特徴とする請求項１記載の画像形成装置。
【請求項３】
前記制御手段は、前記検知手段が前記トナー交換用のカバーが開かれたことを検知しないまま前記第１の動画の再生が終了した場合、ユーザによる動画の再生指示を受信すると、前記第１の動画の再生を再び開始することを特徴とする請求項１又は２に記載の画像形成装置。
【請求項４】
前記制御手段は、前記検知手段が前記トナー交換用のカバーが閉じられたことを検知するのに従って動画の再生を終了することを特徴とする請求項１乃至３のいずれか１項に記載の画像形成装置。
【請求項５】
前記検知手段が前記トナー交換用のカバーが閉じられたことを検知するのに従って、トナー切れを解消するための処理を行う処理手段を、更に有することを特徴とする請求項１乃至４のいずれか１項に記載の画像形成装置。
【請求項６】
前記処理手段は、トナーの補給を行うことを特徴とする請求項５に記載の画像形成装置。
【請求項７】
原稿上の画像を読み取って画像データを生成する読み取り手段を、更に有することを特徴とする請求項１乃至６のいずれか１項に記載の画像形成装置。
【請求項８】
画像形成装置であって、
トナー切れを検出する検出手段と、
トナー交換用のカバーの開閉状態を検知する検知手段と、
前記検出手段がトナー切れを検出したことに従って、前記トナー交換用のカバーを開く手順を示す第１の動画と、トナーを交換する手順を示す１又は複数の第２の動画と、前記トナー交換用のカバーを閉じる手順を示す第３の動画と、を順番に再生するよう制御する制御手段と、
前記検知手段が前記トナー交換用のカバーが閉じられたことを検知しないまま前記第３の動画の再生が終了した場合、ユーザによる動画の再生指示を受信すると、前記トナー交換用のカバーを閉じるようユーザに指示する指示手段と、
を有することを特徴とする画像形成装置。
【請求項９】
前記制御手段は、前記検知手段が前記トナー交換用のカバーが開かれたことを検知するまで前記第２の動画の再生を行わないことを特徴とする請求項８に記載の画像形成装置。
【請求項１０】
前記制御手段は、前記検知手段が前記トナー交換用のカバーが開かれたことを検知しないまま前記第１の動画の再生が終了した場合、ユーザによる動画の再生指示を受信すると、前記第１の動画の再生を再び開始することを特徴とする請求項８又は９に記載の画像形成装置。
【請求項１１】
前記制御手段は、前記検知手段が前記トナー交換用のカバーが閉じられたことを検知するのに従って動画の再生を終了することを特徴とする請求項８乃至１０のいずれか１項に記載の画像形成装置。
【請求項１２】
前記検知手段が前記トナー交換用のカバーが閉じられたことを検知するのに従って、トナー切れを解消するための処理を行う処理手段を、更に有することを特徴とする請求項８乃至１１のいずれか１項に記載の画像形成装置。
【請求項１３】
前記処理手段は、トナーの補給を行うことを特徴とする請求項１２に記載の画像形成装置。
【請求項１４】
原稿上の画像を読み取って画像データを生成する読み取り手段を、更に有することを特徴とする請求項８乃至１３のいずれか１項に記載の画像形成装置。
【請求項１５】
画像形成装置の制御方法であって、
トナー切れを検出する検出工程と、
トナー交換用のカバーの開閉状態を検知する検知工程と、
前記検出工程においてトナー切れが検出されたことに従って、前記トナー交換用のカバーを開く手順を示す第１の動画と、トナーを交換する手順を示す１又は複数の第２の動画と、前記トナー交換用のカバーを閉じる手順を示す第３の動画と、を順番に再生するよう制御する制御工程と、を有し、
前記制御工程では、前記検知工程で前記トナー交換用のカバーが閉じられたことが検知されないまま前記第３の動画の再生が終了した場合、ユーザによる動画の再生指示を受信すると、前記第１の動画から再生を開始せずに、前記第２の動画から、又は前記第３の動画から動画の再生を開始するよう制御することを特徴とする制御方法。
【請求項１６】
画像形成装置の制御方法であって、
トナー切れを検出する検出工程と、
トナー交換用のカバーの開閉状態を検知する検知工程と、
前記検出工程においてトナー切れが検出されたことに従って、前記トナー交換用のカバーを開く手順を示す第１の動画と、トナーを交換する手順を示す１又は複数の第２の動画と、前記トナー交換用のカバーを閉じる手順を示す第３の動画と、を順番に再生するよう制御する制御工程と、
前記検知工程で前記トナー交換用のカバーが閉じられたことが検知されないまま前記第３の動画の再生が終了した場合、ユーザによる動画の再生指示を受信すると、前記トナー交換用のカバーを閉じるようユーザに指示する指示工程と、
を有することを特徴とする制御方法。
【請求項１７】
コンピュータを、請求項１から１４のいずれか１項に記載の画像形成装置の各手段として機能させるためのコンピュータプログラム。
【手続補正２】
【補正対象書類名】明細書
【補正対象項目名】００１０
【補正方法】変更
【補正の内容】
【００１０】
本発明の目的は、トナー切れの状態を解除するための操作手順を動画で表示する際、ユーザにとって分かり易く、かつ確実にトナー切れの状態を解除できる手順を示すことができる技術を提供することにある。
【手続補正３】
【補正対象書類名】明細書
【補正対象項目名】００１１
【補正方法】変更
【補正の内容】
【００１１】
上記目的を達成するために本発明の一態様に係る画像形成装置は以下のような構成を備える。即ち、
画像形成装置であって、
トナー切れを検出する検出手段と、
トナー交換用のカバーの開閉状態を検知する検知手段と、
前記検出手段がトナー切れを検出したことに従って、前記トナー交換用のカバーを開く手順を示す第１の動画と、トナーを交換する手順を示す１又は複数の第２の動画と、前記トナー交換用のカバーを閉じる手順を示す第３の動画と、を順番に再生するよう制御する制御手段と、を有し、
前記制御手段は、前記検知手段が前記トナー交換用のカバーが閉じられたことを検知しないまま前記第３の動画の再生が終了した場合、ユーザによる動画の再生指示を受信すると、前記第１の動画から再生を開始せずに、前記第２の動画から、又は前記第３の動画から動画の再生を開始するよう制御することを特徴とする。
【手続補正４】
【補正対象書類名】明細書
【補正対象項目名】００１２
【補正方法】変更
【補正の内容】
【００１２】
本発明によれば、トナー切れの状態を解除するための操作手順を動画で表示する際、ユーザにとって分かり易く、かつ確実にトナー切れの状態を解除できる手順を示すことができるという効果がある。